Podtech/llm-jp-corpus-v4-ja_patent huggingface dataset:
(57)【要約】【課題】時刻の管理は言うまでも無く重要である。しかし管理するのは非常に困難であると共に精神的にも負担を感ずる。従って時刻を管理する機器を使用する必要が生ずる。  現状ではコンピュータを利用したスケジュール管理装置があるが、操作性・高価格・複雑・携帯に不便等の課題が有る。【解決手段】本考案は専用の時間管理を目的としたもので、何時でも何処でも簡単に入力出来るように手書き入力ボードを採用し、専用器とする事で操作性の向上・低価挌・単純化・小型軽量化を実施するものである。【選択図】図１
0003103925.tif 000002
【実用新案登録請求の範囲】
【請求項１】
携帯用の時刻報知器で、手書き認識ボードを使用して「時刻」と「件名」を入力する事により、その時刻に達すると報知するものであり、時刻報知の専用にする手段と、名刺入れ大の小型軽量化する手段と、手書き認識ボードで「時刻と「件名」を入力出来また、「件名入力」を一文字ずつ入力する手段と、報知時刻に達すると自動報知する手段および報知を連続・断続・音量の設定する手段と、入力した「時刻」と「件名」を数十件表示すると共に、時刻順に並べかえる手段とからなるものである。
【考案の詳細な説明】
【技術分野】
【０００１】本考案は小型軽量の携帯に便利な時刻報知器で、手書き認識ボードを使用する事により、容易に入力することが出来る。また、表示画面により数十件の時間管理が出来る。
【背景技術】
【０００２】現状で本機能を持った機器は、小型のコンピュータである。コンピュータには多くの機能があるが、その中の一つの「スケジュール管理機能」を使用すれば可能である。
【考案の開示】
【考案が解決しようとする課題】
【０００３】しかしながら、操作が複雑であり、報知装置が無いため別取付となる。また寸法・重量も大きくなり、携帯に不便でしかも高価格である。
本考案は、時刻報知器専用の機能のみとする簡素化を計ることにより、操作性の向上・機能の充実・携帯に便利な小型軽量化・報知装置の内蔵・低価格を目的としている。
【課題を解決するための手段】
【０００４】上記目的を達成するため「請求項１」記載の考案は、簡素化を計るため時刻報知専用とする手段、操作性の向上を図るための手書き認識ボードによる「時刻」と「件名」を入力する手段、機能充実するための入力した「時刻」と「件名」の数十件の表示が可能とする手段、携帯に便利な小型軽量化のための名刺入れ大の小型軽量化にする手段、報知器内蔵と共に報知は連続・断続・音量の変更が可能な手段、低価格にするための「件名」入力を一文字ずつ入力する手段にて実施する。
【考案の効果】
【０００５】以上の説明のように、手書き入力により操作が容易で、入力した情報を表示することで何時でも確認出来、また報知出力も連続・断続・音量の変更設定が出来、携帯が便利な名刺大の寸法である。また、時刻報知器専用とすると共に、手書き入力を簡素化したことで低価格を可能にした。
また顧客においては、時刻を確実に守ることによる個人の信用向上、時刻報知が確実に出来るため安心感による精神面での効果、各分野での時刻の忘れ・間違いによる社会的損失、就業者の高齢化に対する対応、その他個人使用での効果が期待できる。
【実施例】
【０００６】以下に本考案の実施例を、全体説明図「図１」で説明する。
入力は１−手書き認識ボードで行い、「開始」をチエックした後「時刻」は００時００分・「件名」はカタカナで一文字ずつ入力し、入力後確認後「終了」をチエックする。また翌日にもそのデータを使用する場合「保存」をチエックする。２−現在日時表示画面は現在の月・日・曜日・時・分を表示すると共に、「件名」入力時は件名を表示する。３−設定表示画面は１０件の「時刻」「件名」が時刻順に並替え表示される。また表示は３０件まで入力可能で４・５−スクロールキーを操作し表示できる。６−クリアーキーはデターの削除に使用、７−入力キーはデーターの入力時に使用する。８−報知停止キーは報知を停止すると共に、該当のデーターを削除する。
【図面の簡単な説明】
【０００７】
【図１】本考案の全体説明図である。
【符号の説明】
【０００８】  １  手書き認識ボード
２  現在日時表示画面
３  設定表示画面
４  スクロールキー（前）
５  スクロールキー（後）
６  クリアーキー
７  入力キー
８  報知停止キー
【図１】
0003103925.tif 000003
【手続補正書】
【提出日】平成16年4月8日(2004.4.8)
【手続補正１】
【補正対象書類名】実用新案登録請求の範囲
【補正対象項目名】請求項１
【補正方法】変更
【補正の内容】
【請求項１】
時刻報知専用の機能のみとする、名刺入れ大の小型軽量化した携帯用の時刻報知器で、手書き認識ボードを使用して「時刻」と「件名」を入力する事により、その時刻に達すると報知するものであり、手書き認識ボードで「時刻」と「件名」を入力出来、また、「件名入力」を一文字ずつ入力する手段と、報知時刻に達すると自動報知する手段および報知を連続・断続・音量の設定する手段と、入力した「時刻」と「件名」を数十件表示すると共に、時刻順に並べかえる手段とからなる時刻報知器。
(57)【要約】【課題】           学校等で上履き、スニーカー、又は運動靴等の靴のヒール部を潰してサンダルのようにして歩く生徒がおり、家庭や学校等において、保護者や教員等が、その生徒達を指導し、仕付けなければならない課題があった。【解決手段】      靴１のヒール部２の外側に、踏み潰し防止用の突起部３を設けてなる仕付け用靴。【選択図】        図１
0003103026.tif 000002
【実用新案登録請求の範囲】
【請求項１】
靴のヒール部の外側に、踏み潰し防止用の突起部を設けてなる仕付け用靴。
【請求項２】
請求項１に記載の仕付け用靴において、前記突起部が、アニメ等のキャラクター、動物、又は植物等の立体的形状からなる仕付け用靴。
【請求項３】
請求項１又は２に記載の仕付け用靴において、前記ヒール部に、前記突起部を着脱可能に設けた仕付け用靴。
【考案の詳細な説明】
【技術分野】
【０００１】
本考案は、仕付け用靴に関する。
【背景技術】
【０００２】
従来、上履き、スニーカー、又は革靴等のヒール部が踏み潰せる程度に比較的柔らかい靴は知られている。
【考案の開示】
【考案が解決しようとする課題】
【０００３】
学校等で上履き、スニーカー、又は運動靴等の靴のヒール部を潰してサンダルのようにして歩く生徒がおり、家庭や学校等において、保護者や教員等が、その生徒達を指導し、仕付けなければならない課題があった。
【課題を解決するための手段】
【０００４】
そこで、本考案は、請求項１に記載のように、靴のヒール部の外側に、踏み潰し防止用の突起部を設けてなる仕付け用靴を提供するものである。
【０００５】
また、本考案は、請求項２に記載のように、請求項１に記載の仕付け用靴において、前記突起部が、アニメ等のキャラクター、動物、又は植物等の立体的形状からなる仕付け用靴を提供するものである。
【０００６】
また、本考案は、請求項３に記載のように、請求項１又は２に記載の仕付け用靴において、前記ヒール部に、前記突起部を着脱可能に設けた仕付け用靴を提供するものである。
【考案の効果】
【０００７】
本考案に係る仕付け用靴によれば、請求項１に記載のように、靴のヒール部の外側に、踏み潰し防止用の突起部を設けてなる構成を有することにより、靴のヒール部を潰そうとすると足の踵に突起部があたってヒール部を潰すことができないから、家庭や学校等において、子供達が上履き、又はスニーカー等の靴のヒール部を潰さないように仕付けることができる効果がある。
【０００８】
また、本考案は、請求項２に記載のように、請求項１に記載の仕付け用靴において、前記突起部の形状が、アニメ等のキャラクター、動物、又は植物等の立体的形状からなる構成を有することにより、アニメ等のキャラクター、動物、又は植物等からなる突起部が、ヒール部を潰すことを防止する機能を有するのみならず、子供達の好奇心を刺激し購買力を高める効果がある。
【０００９】
また、本考案は、請求項３に記載のように、請求項１又は２に記載の仕付け用靴において、前記ヒール部に、前記突起部を着脱可能に設けた構成を有することにより、使用者の好みにあわせて突起部を着脱して靴を使用することができると共に、種々の突起部を選択して使用することができる効果がある。
【考案を実施するための最良の形態】
【００１０】
以下図示する実施例により、本考案に係る仕付け用靴の実施の形態を説明する。
図に記載する実施例において、１は、本考案に係る仕付け用靴で、上履き等の靴を例にとってあり、そのヒール部２の外側に、踏み潰し防止用の突起部３を設けてある。この突起部３は、円錐台形状の金属、プラスチック、セラミックス等の硬質の素材からなり、ヒール部２の外側に一体に固定してある。
従って、図２に記載のように、ヒール部２を踏み潰そうとすると、突起部３が靴底４から突出して踏み潰すことができないこととなる。
【００１１】
図の実施例では、相当大きな突起部３として記載してあるが、踏み潰して歩くことができないほどの大きさと形状にすることは必ずしも必要ではなく、踏み潰して歩き難い程度の大きさと形状の突起部３も本考案の技術的範囲に含まれることは勿論である。
また、突起部３の素材も硬質なものに限らず、例えば、踏むと違和感を感じるような、柔軟なプラスチックやゴム、或は砂やビーズ等の粒体や小物体の入った袋等から構成することもできると共に、突起部３の形状も球状、半球状、多面体状等に構成することができる。
【００１２】
また、この突起部３を、アニメーション、宣伝広告、映画等のキャラクター、犬、猫、パンダ等の動物、花、野菜、果物等の植物、又は、ケーキ、菓子、風景、建造物等の立体的形状から構成することもできる。
また、この突起部３を踏むと警告音が出るように警笛付きの小型エアバックで構成することもできる。
また、この突起部３に蛍光塗料等を施し、夜間や暗所において、靴を見つけ易く構成することができる。
【００１３】
また、本考案の他の実施例としては、ヒール部２に、前記突起部３を着脱可能に設けた仕付け用靴１も提供するものであり、この場合、ヒール部２と突起部３との当接面に、着脱自在な面ファスナー、磁石、凹凸ホック等を設けた構成、又はヒール部２に設けた伸縮性のゴムバンドや袋体で突起部３を着脱自在に装着する構成を採用することができる。
【図面の簡単な説明】
【００１４】
【図１】本考案に係る仕付け用靴の一実施例を示す概略斜視図。
【図２】その実施例の使用態様を示す概略斜視図。
【符号の説明】
【００１５】
１    仕付け用靴
２    ヒール部
３    突起部
４    靴底
【図１】
0003103026.tif 000003
【図２】
0003103026.tif 000004
(57)【要約】【課題】  絵画等の展示パネルは、展示パネルごとにその幅が異なり、展示パネルの幅に応じて壁面の吊り下げ箇所を決定しなければならない等の手間がかかり煩わしいものである事を解消することを目的とする。【解決手段】  壁面に固着したウォールフックと、ウォールフックに固定される案内筒と、案内筒内を摺動し案内筒外まで突出し突出状態で固定される支持部材と、支持部材上を摺動して固定されるピクチャーフックとよりなる展示パネルウォールフック伸縮ハンガーとした。【選択図】  図３
0003103028.tif 000002
【実用新案登録請求の範囲】
【請求項１】
壁面に固着したウォールフックと、ウォールフックに固定される案内筒と、案内筒内を摺動し案内筒外まで突出し突出状態で固定される支持部材と、支持部材上を摺動して固定されるピクチャーフックとよりなる展示パネル用ウォールフック伸縮ハンガー。
【請求項２】
ピクチャーフックは高さ方向に調整可能である請求項１記載の展示パネル用ウォールフック伸縮ハンガー。
【請求項３】
ピクチャーフックをスイングできるようにした請求項１記載の展示パネル用ウォールフック伸縮ハンガー。
【考案の詳細な説明】
【技術分野】
【０００１】
本考案は、展示パネル用ウォールフック伸縮ハンガーに関し、幅が異なる展示パネルに対応できるハンガーについてのものである。
【背景技術】
【０００２】
絵画等の展示パネルは、展示パネルごとにその幅が異なり、展示パネルの幅に応じて壁面の吊り下げ箇所を決定しなければならなかった。
【特許文献１】２００３−２２７２１９
【考案の開示】
【考案が解決しようとする課題】
【０００３】
絵画等の展示パネルは、展示パネルごとにその幅が異なり、展示パネルの幅に応じて壁面の吊り下げ箇所を決定しなければならず、手間がかかり煩わしいものであった。
【課題を解決するための手段】
【０００４】
絵画等の展示パネルは、展示パネルごとにその幅が異なり、展示パネルの幅に応じて壁面の吊り下げ箇所を決定しなければならない等の手間がかかり煩わしいものである事を解消すべく、本考案は、壁面に固着したウォールフックと、ウォールフックに固定される案内筒と、案内筒内を摺動し案内筒外まで突出し突出状態で固定される支持部材と、支持部材上を摺動して固定されるピクチャーフックとよりなる展示パネルウォールフック伸縮ハンガーとした。
【０００５】
また、本考案は、具体的には、ピクチャーフックは高さ方向に調整可能とした。
【０００６】
さらに、本考案は、具体的には、ピクチャーフックをスイングできるようにした。
【考案の効果】
【０００７】
本考案は、壁面に固着したウォールフックと、ウォールフックに固定される案内筒と、案内筒内を摺動し案内筒外まで突出し突出状態で固定される支持部材と、支持部材上を摺動して固定されるピクチャーフックとよりなる展示パネルウォールフック伸縮ハンガーとしたので、絵画等の展示パネルの、展示パネルごとにその幅が異なり、展示パネルの幅に応じて壁面の吊り下げ箇所を決定しなければならない等の手間がかかり煩わしいものであったが、ハンガーの吊り下げ位置を幅方向に調整でき、簡単に展示パネルの吊り下げ箇所に対応させられる。
【０００８】
また、本考案は、ピクチャーフックは高さ方向に調整可能としたので、展示パネルの高さ方向の調整も可能になった。
【０００９】
さらに、本考案は、ピクチャーフックをスイングできるようにしたので、ピクチャーフックをスイングさせてより一層吊り下げに適した状態で展示パネルを吊り下げられる。
【考案を実施するための最良の形態】
【００１０】
図１に示すように、ウォールフック１の位置を予め決め、壁面に設けておく。例えば、床上１８００ｍｍで２００ｍｍの固定ピッチで、固定ピッチ２００ｍｍのウォールフック１を９１０ｍｍ間隔に設ける。符号２、３は絵画等の展示パネルである。
【００１１】
ウォールフック１は、図２に詳細が示されている。壁面４およびその補強部材である下地材の溝形鋼５に、ウォールフック１のソケット６がその端部のフランジ７を壁面４に当接させ、その先端部にワッシャ８を嵌め、ナット９を螺締して固定する。このウォールフック１を図１に示すように、適宜箇所に配置する。
【００１２】
本ハンガーを取付けようとする箇所のウォールフック１上に、図３、図４に示すように、角パイプ製の案内筒１０を当接させて図５に示す固定ボルト１１にて螺締する。
【００１３】
案内筒１０にはその中央で内端部どうしを当接させる２個の板状の支持部材１２・１２を摺動自在に設ける。支持部材１２・１２の内端部どうしを案内筒１０の中央で当接させた際、支持部材１２・１２の外端部が僅か突出するように支持部材１２・１２の長さを設定する。支持部材１２・１２のそれぞれの外端部にはピクチャーフック１３・１３を設ける。このピクチャーフック１３には絵画等の展示パネルを吊り下げる。
【００１４】
上記の支持部材１２・１２には、支持部材１２・１２が摺動できるように長孔１４・１４を刻設する。長孔１４・１４の内端が固定ボルト１１・１１のところに位置したときが、支持部材１２・１２が最も外側まで突出した状態である。この支持部材１２・１２の突出によりピクチャーフック１３・１３の間隔を任意に設定できる。支持部材１２・１２の突出長さを決定し、その状態を固定するには、支持部材１２・１２の下面に凹設した位置決め穴１５・１５に案内筒１０下面から位置決めピン１６・１６を挿入して行う。
【００１５】
ピクチャーフック１３・１３のフック１７・１７の上端部にはネジ山１８・１８が刻設してあり、そのネジ山１８・１８に螺着した外周にローレットを有するローレットネジ１９・１９をネジ回して高さの調整を行う。
【００１６】
また、このピクチャーフック１３・１３は、展示パネルの吊り下げ位置に応じてスイングさせることができる。
【図面の簡単な説明】
【００１７】
【図１】本考案の概要を説明する正面図である。
【図２】本考案のウォールフックの断面図と正面図との２面図である。
【図３】本考案の具体的一実施例の展示パネル用ウォールフック伸縮ハンガーの正面図である。
【図４】図３の側面図である。
【図５】固定ボルトの側面図である。
【符号の説明】
【００１８】
１…ウォールフック
１０…案内筒
１２…支持部材
１３…ピクチャーフック
【図１】
0003103028.tif 000003
【図２】
0003103028.tif 000004
【図３】
0003103028.tif 000005
【図４】
0003103028.tif 000006
【図５】
0003103028.tif 000007
(57)【要約】【課題】  縁なしメガネにおいてレンズを枠に装着する際に、脱落することの無い緩衝材を提供し、レンズが破損することを防止する。【解決手段】レンズ５をヨロイ６に装着する際に用いるレンズ破損防止緩衝材は、これまでは管状部分Ａとワッシャ状部分Ｂが各々個別に用いられていた。そのため管状部分Ａはレンズ回転止めピン１０に固定する機構がなく安易に外れ、その結果レンズが金属からなる止めピンに接触し破損する可能性が高かった。それを管状部分Ａとワッシャ状部分Ｂを連結片Ｃで連結し一体構造にすることにより、管状部分Ａが止めピン１０から脱落することを防止する。【選択図】  図４
0003103059.tif 000002
【実用新案登録請求の範囲】
【請求項１】
縁なしメガネの枠とレンズを連結する際に、その接合部分に用いるレンズ破損防止目的の緩衝材であって、ワッシャ状部分と管状部分が連結し一体構造化された、弾性合成樹脂からなる部材。
【考案の詳細な説明】
【技術分野】
【０００１】本考案は、縁なしメガネにおける枠とレンズの接合部分に用いる、一体構造をなす緩衝を目的とする部品に関するものである。
【背景技術】
【０００２】縁なしメガネに於ける枠とレンズの接合方法の一形態として、図５で示すように固定ネジ７とナット１１でレンズ５をヨロイ６に固定し、さらにレンズ回転止めピン１０（以下止めピンという）を用いることで、レンズが固定ネジ７を支点として回転することを防止している。【０００３】またレンズが縁なしメガネの金属部分に直接触れて破損することを防ぐために、図５で示すように、固定ネジ部分にはワッシャ状緩衝材３を、そして止めピンの部分には管状緩衝材２を、各々別個に用いるのが一般的であった。
【考案の開示】
【考案が解決しようとする課題】
【０００４】そのため図５の止めピン１０に装着する管状緩衝材２は、固定されうるべく機構が欠如しており止めピン１０から安易に外れるため、その結果レンズに設けた係合溝１２に金属からなる止めピンが直接触れ、レンズが破損する可能性が高く、改良が望まれていた。【０００５】本考案の目的は、図５で示す止めピン１０に装着された管状緩衝材２が抜け落ちなくすることである。
【課題を解決するための手段】
【０００６】上記課題を解決するため本考案は以下の手段を採用する。
即ち本考案に係る図１で示すごとく、ワッシャ状部分Ｂと、管状部分Ａを連結片Ｃにて連結し、一体構造化することで管状部分Ａが止めピン１０から脱落することを防ぐことに特徴がある。
連結片Ｃの形状は、ワッシャ状部分Ｂと同一の厚みで、且つ管状部分Ａの径寸と同一の幅員からなる帯状の形状とすることで、装着するレンズとの空間に寸法差を生じさせない事を特徴とする。【０００７】本考案の縁なしメガネの枠とレンズの接合部分に用いる一体構造型緩衝材１は、広く弾性を有する合成樹脂で構成されるが、塩化ビニル系樹脂、ポリアミド系樹脂、シリコンゴム、ポリカーボネイト系樹脂などの弾性体が好ましい。
【考案を実施するための最良の形態】
【０００８】図２は、縁なしメガネの一部を省略した斜視図であり、図３は本考案の一体型緩衝材を使用したメガネの要部断面図である。
これらの図に示すように、縁なしメガネは、固定ネジ７、ナット１１により、レンズ５をヨロイ６に固定される。また止めピン１０が、レンズに設けられた係合溝１２に沿うように挿入される。止めピン１０が係合溝１２で固定されることにより、レンズが固定ネジ７を中心として回転することを防止している。【０００９】これらヨロイ６にレンズ５を取付けるにあたり、図４に示すように本考案に係る緩衝材１をヨロイとレンズの接合部分に挟み込むことにより、緩衝の役割を果たすことになる。
【考案の効果】
【００１０】この際緩衝材１における管状部分Ａが、一体構造化されたワッシャ状部分Ｂとともにヨロイ６とレンズ５に挟み込まれ、管状部分Ａが止めピン１０から脱落することを防いでいる。
【産業上の利用可能性】
【００１１】本考案は以上のように構成しているため、管状部分Ａが止めピン１０から脱落する事がなく、その結果レンズが金属からなる止めピンに直接触れることがなくなるため、レンズが破損する事態を回避することが出来る。
【図面の簡単な説明】
【００１２】
【図１】  本考案の一実施形態の縁なしメガネの枠とレンズの一体構造型緩衝材の斜視図である。
【図２】  縁なしメガネの一部を省略した斜視図である。
【図３】  本考案の一体型緩衝材を使用したメガネの要部断面図である。
【図４】  本考案の一実施例を説明する分解斜視図である。
【図５】  従来の連結構造を説明する分解斜視図である。
【符号の説明】
【００１３】  １  一体構造型緩衝材
２  管状緩衝材
３  ワッシャ状緩衝材
５  レンズ
６  ヨロイ
７  固定ネジ
８  テンプル
９  兆番
１０  レンズ回転止めピン
１１  ナット
１２  係合溝
１３  連結孔
１４  挿通孔
Ａ  一体構造型緩衝材に於ける管状部分
Ｂ  一体構造型緩衝材に於けるワッシャ状部分
Ｃ  一体構造型緩衝材に於ける連結片
【図１】
0003103059.tif 000003
【図２】
0003103059.tif 000004
【図３】
0003103059.tif 000005
【図４】
0003103059.tif 000006
【図５】
0003103059.tif 000007
(57)【要約】      （修正有）【課題】木質素材の水分による劣化や、汚染をなくし、資源保護に寄与できる引き出しを提供する。【解決手段】机や食器棚、流し台のキャビネットや本箱などに用いられる通常の引き出しであり、前板８、後板８、側板３、底板から構成される。引き出しを構成する低発泡熱可塑性合成樹脂成型体に用いる低発泡熱可塑性合成樹脂としては、再生のポリスレチン樹脂やポリエチレン樹脂んどで、それに、0.5％低度の化学発泡剤を添加し、押出し成型機にて押し出して1.8倍程度の低発泡熱可塑性合成樹脂成型板を作り上げる。【選択図】図４
0003103052.tif 000002
【実用新案登録請求の範囲】
【請求項１】
前板、後板、側板、底板からなる引出しであって、低発泡熱可塑性合成樹脂成型体を
前板と後板と側板に用いたことを特徴とする引出し。
【請求項２】
請求項１に記載の引出しにおいて、底板に低発泡熱可塑性合成樹脂板を用いたことを
特徴とする引出し。
【考案の詳細な説明】
【技術分野】
【０００１】
本考案は、家具などに用いられる引出しの構成に関する。
【背景技術】
【０００２】
従来の食器棚などの引出しは主に無垢の木材や、合板、繊維板などの木質板を用いて構成されていた。    
【考案の開示】
【考案が解決しようとする課題】
【０００３】
しかしながら、従来の木質板は水分による劣化や、汚染が発生しやすい等の欠点があり原材料の木材の資源保護等の地球環境保護からも安定供給面で問題がある。
【課題を解決するための手段】
【０００４】
本考案は、従来の木質素材に替わり、低発泡熱可塑性合成樹脂成型体を引出しの前板、後板、側板、更には底板として使用した引出しである。
【考案の効果】
【０００５】
本考案は、水分を全く吸収しない低発泡熱可塑性合成樹脂成型体を前板、後板、側板や底板として使用する事で、引出しが水分により劣化したり、汚染されることを防ぐ事が出来る。
又、原材料として再生品の熱可塑性合成樹脂原料を使用し、且つ引出しとして使用後も再度リサイクルする事が出来るので地球環境の保護にも寄与できる。
【考案を実施するための最良の形態】
【０００６】
次に、本考案の実施の形態を実施例になる図面を参照しながら説明する。  図１は本考案の実施例になる低発泡ポリスチレン成型板の斜視図で、図２は本考案の実施例に係わる引出しの側板の斜視図である。図３は本考案の実施例に係わる引出しの前板及び後板を示す斜視図で、図４は本考案の実施例に係わる引出しを示している。
【０００７】
本考案の引き出しとは、机や食器棚、流し台のキャビネットや本箱などに用いられる通常の引き出しであり、前板８、後板８、側板３、底板から構成される。
引き出しを構成する低発泡熱可塑性合成樹脂成型体１に用いる低発泡熱可塑性合成樹脂としては、再生のポリスチレン樹脂やポリエチレン樹脂などで、それに０．５％低度の化学発泡剤を添加し、押出し成型機にて押し出して１．８倍程度の低発泡熱可塑性合成樹脂成型板を作り上げる。
【０００８】
図1〜３に示す低発泡ポリスチレン成型体１は、厚さ１５ｍｍ、高さ１２０ｍｍ程度の大きさで、成型板１の片面の側辺部に沿って底板（図示せず）の周側辺部を嵌入させる条溝２を同時に成型し、その成型板１を所定の長さに切断する。  そして、図２の様に切断面にダボ孔５を形成して側板３とし、成型板１の内側両側部にもダボ孔７を設けて前板８と後板８とする。  そして、別途底板を準備して、図4の様にそれらの板３、８、８を木製ダボ４を用いてダボ接合６して引出しに組み立てる。
【０００９】
なお、この例では底板として耐水性の合板を用いたが、低発泡熱可塑性合成樹脂により成型した板体を用いると、引出し全体が合成樹脂で構成され、引出しの耐水性は一層向上する。
【図面の簡単な説明】
【００１０】
【図１】本考案の実施例に係わる低発泡ポリスチレン成型板の斜視図である。
【図２】本考案の実施例に係わる引出しの側板の斜視図である。
【図３】本考案の実施例に係わる引出しの前板及び後板の斜視図である。
【図４】本考案の実施例に係わる引出しの斜視図である。
【符号の説明】
【００１１】
１  低発泡ポリスチレン成型体
２  条溝
３  側板
４  木製ダボ
５  ダボ穴
６  ダボ打ち接合
７  ダボ穴
８  前板
【図１】
0003103052.tif 000003
【図２】
0003103052.tif 000004
【図３】
0003103052.tif 000005
【図４】
0003103052.tif 000006
(57)【要約】      （修正有）【課題】横方向の巻戸を生産する際に、巻戸を構成する透明アクリル樹脂製短冊体に切目をいれる際に、前記短冊体に割れ目や亀裂が生じることなく安全に作業ができるし、しかも製品のデザイン性に優れた巻戸の提供を目的とする。【解決手段】塩化ビニール樹脂フィルム１を貼着した複数の横方向に繋列した厚み５ｍｍ未満の透明アクリル樹脂製短冊体２の繋目に幅２ｍｍ未満の切溝を設けて該溝にて折りたたみ自在に構成されてなることを特徴とする家具用巻戸。【選択図】図１
0003103034.tif 000002
【実用新案登録請求の範囲】
【請求項１】
塩化ビニール樹脂フイルム１を貼着した複数の横方向に繋列した厚み５ｍｍ未満の透明アクリル樹脂製短冊体２の繋目に幅２ｍｍ未満の切溝３を設けて該溝３にて折りたたみ自在に構成されてなることを特徴とする家具用巻戸。
【考案の詳細な説明】
【考案の詳細な説明】
【技術分野】
【０００１】本考案は、従来、飾窓などに用いれる蛇腹形状戸や巻き取り形状格子で知られている巻戸に関し、さらに詳記すれば、戸内や格子内の収納物がわかる開放的なデザイン性に優れた家具用巻戸に関する。
【背景技術】
【０００２】従来、透明なガラスを樹脂金具にて連結した巻戸が知られているが、この巻戸は短冊として用いるガラスとガラスの間に隙間が生じ、隙間内部にほこりが入る問題があり、作業にも手間を要し、コストが高くなる。一方、扉として用いる場合、一体感に乏しく見映えや手触りが悪い等の欠点がある。【０００３】又、キャビネットのハッチ構造として特開２００３−９０１３５号が知られているが、これは縦方向に短冊体を繋列して構成された巻戸を扉として用いている。
【先行技術】
【０００４】
【特許文献１】  公開特許公報    松下電工株式会社  「キャビネットのハッチ構造」  特開２００３−９０１８５号  平成１５年３月２８日公開
【考案が解決しようとする課題】
【０００５】本考案の目的は、横方向の巻戸を生産する際に、巻戸を構成する透明アクリル樹脂製短冊体に切目をいれる際に、前記短冊体に割れ目や亀裂が生じることなく安全に作業ができるし、しかも製品のデザイン性に優れた巻戸の提供を目的とする。
【課題を解決するための手段】
【０００６】本考案の特徴は、「塩化ビニール樹脂を貼着した複数の横方向に繋列した厚み５ｍｍ未満の透明アクリル樹脂製短冊体２の繋目に幅２ｍｍ未満の切溝３を設けて該溝３にて折りたたみ自在に構成されてなることを特徴とする家具用巻戸」にある。以下、本考案の内容を詳細に説明する。
【０００７】本考案による家具用巻戸（以下、巻戸という。）は、複数のアクリル樹脂板の短冊体（以下、アクリル短冊体という。）を塩化ビニール樹脂製フイルム（以下、塩ビフイルムという。）で横方向に連続して繋列した複数の短冊体から構成されている。
【０００８】図１は、本考案の巻戸に用いるアクリル短冊体の正面図である。アクリル短冊体２の厚みは、５ｍｍ未満であることが好ましい。厚みが５ｍｍを超えると塩ビフイルムの貼着が弱くなり、戸の開閉の際に、個々のアクリル短冊体２の切溝３の部分から外れたりするので好ましくない。又、さらに好ましくは、２〜４ｍｍにすることが好ましい。厚みを２ｍｍ以下にすると、戸自体が壊れやすくなる傾向となので留意が必要である。
【０００９】又、アクリル短冊体２の幅は、巻戸を用いる家具やその大きさによって決めればよいが、通常は、２０〜３０ｍｍを使用するのがよい。本考案の目的は、巻戸内の収納物が見えやすくてしかも見映えをよくする巻戸を提案するのであるから透明製品或いは透明に近いものであることが必要であり、例えば、Ｍ社のアクリル「商品名アクリライト」（ＥＸ００１−トーイ）は適している。
【００１０】次に、上記したアクリル短冊体２の裏に塩ビフイルム１を貼着する。塩ビフイルムは、透明品でも、薄色の製品でもよく、又、布製のものも使用できるが、ガラスへの接着が可能なＮ社品（商品名フオーグラス〈塩ビシート〉）は適している。
塩ビフイルム１の厚みは、薄くて強いものが適している。通常０．２ｍｍ程度のものが使用できる。
【００１１】図２は本考案による巻戸の巻戸状態図である。アクリル短冊体２と隣接して繋列されたアクリル短冊体２と隣の短冊体２’の繋目に、ＮＣルーターやカッターをを用いて幅２ｍｍ未満の切溝３を設ける。
【００１２】切溝３は、隣接して繋列するアクリル短冊体２の強さや曲りの他に見映え等にも影響するので切溝３の幅は２ｍｍ未満であることが好ましい。幅が２ｍｍを超えると見映えが悪くなるばかりではなく、その部分が汚れやすくなるので好ましくない。又、切溝３の形状については、その切口がＶ溝でもＵ溝でもよく、アクリル短冊体２が折りたたみやすく、折り曲げやすくしかも見映えがよい形状を選定すればよい。
【００１３】以上説明したアクリル短冊体２は、横方向に複数繋列され、個々の上記短冊体の切溝３において曲がり巻戸状に形成される。図２に示すように、アクリル短冊体２の上部軌路枠８および下部軌路枠９は、巻戸と併せて設けた巻戸の上部軌路５および及び下部軌路６を開閉動作に応じて回動する。
【００１４】本考案による巻戸は、テレビボード、リビングテーブル、サイドボード等家具の扉として使用能であり、アクリル短冊体２や短冊体間に設けた切溝３の機能によって従来知られている巻戸の概念を一層向上せしめことを可能とし、一躍居間空間やキッチン空間に落ち着いたムードを醸し出すことが期待できる。
【００１５】例えば、上記したテレビボードにおいては、アクリル短冊体２を用いているのでリモコン操作も扉を閉じたままで可能であるし、サイドボードにおいては、内部にダウンライトが設置できる。又、扉は全開できるので物の出し入れがスムーズになる。
【００１６】図３は、本考案による巻戸をテレビボードの扉に用いた状態の外観図である。
テレビ本体１０のテレビ台１０の下に本考案による巻戸を用いた扉４から構成されるテレビボード１１を設置した。扉４は、アクリル短冊体２を横方向に繋列した巻戸からなり、これらの短冊体２は、上部軌路枠８および下部軌路枠９にて固定されており、上部軌路５および下部軌路６を介して回動し、左右把手７、７’にて開閉することができる。
【考案の効果】
本考案による巻戸は軽量でしかも割れることもないので安全に開閉することができるし、クラックや亀裂を生じることなく安価に生産ができる。アクリル樹脂を扉に用いているので見映えがよく意匠性が高く一体感がある。
【図面の簡単な説明】
【図１】  本考案の巻戸に用いるアクリル樹脂短冊体の正面図である。
【図２】  本考案による巻戸の繋列した巻戸の状態図である。
【図３】  本考案による巻戸をテレビボードの扉に用いた状態図である。
【符号】
１  ：塩ビフイルム
２  ：短冊体
２’：短冊体
３  ：切溝
４  ：扉
５  ：上部軌路
６  ：下部軌路
７  ：左把手
７’：右把手
８  ：上部軌路枠
９  ：下部軌路枠
１０  ：テレビ
１１  ：テレビボード
１２  ：テレビ台
【図１】
0003103034.tif 000003
【図２】
0003103034.tif 000004
【図３】
0003103034.tif 000005
(57)【要約】      （修正有）【課題】玄関ドアを閉めたままで、小型物品の授受や来訪者との簡単な用件を済ませるようにすることで、防犯機能を高め、ペットの飛び出しや冷暖房効率を高めることができる。【解決手段】ドア本体１に手前に開く小扉２を設け、小扉を閉じた時に外側から開閉できないように止め金具３を取り付ける。小扉２を開くことにより、ドア本体１を閉めたまま、小型物品の授受や来訪者との簡単な用件を済ませることができる。また、小扉２を水平開きとし、必要に応じて手前に開いた時に水平位置で固定できるようにストッパー４を設け、カウンター兼用とすれば、受領印の押印やサイン時等の便利性は更に向上する。【選択図】図２
0003103033.tif 000002
【実用新案登録請求の範囲】
【請求項１】
家屋の内側から開閉できる小扉を設けた玄関ドア
【請求項２】
カウンター兼用の小扉を設けた玄関ドア
【考案の詳細な説明】
【考案の詳細な説明】
【考案が解決しようとする課題】
【０００１】  従来でも郵便受け程度の差し込み口を設けたドアはあるが、小荷物や書留郵便物の受け取り、その他簡単な物品の受け取りや集金対応ができる扉はなかった。
従って、簡単な応対に関してもドア全体を開くことになり、押し売りや強引な勧誘に対する防御機能が弱く、また家屋内のペットの飛び出しや冷暖房効率の低下を招くのが難点であった。
特に休日や夜間においては、居住者はラフな服装でいることも多く、突然の訪問者に対しては服装に気を使うことも多かった。
【課題を解決するための手段】
【０００２】  本案は上記の欠点を除くために、玄関ドア全体を開かなくても、ドアの内側から開閉できる小扉を設けたもので、これを図面について説明すれば、ドア本体１に手前に開く小扉２を設け、小扉を閉じた時に外側から開閉できないように止め金具３を取り付ける。
【考案の効果】
【０００３】  本案は以上のような構成であるから、小扉２を開くことにより、ドア本体１を閉めたまま、小型物品の授受や来訪者との簡単な用件を済ませることができる。
また、小扉２を水平開きとし、必要に応じて手前に開いた時に水平位置で固定でるようにストッパー４を設け、カウンター兼用とすれば、受領印の押印やサイン時等の便利性が向上する。
【実施態様】
【０００４】  （イ）小扉は片開きや両開きのほか、水平開き方式としても良い。
（ロ）来訪者の顔を確認できるように、小扉をミラーガラス等にしても良い。
（ハ）小扉の形態は扉方式のほか、引き戸方式や上下の移動方式でも良い。
（ニ）小扉を取り付ける本体は、ドアのほか引き戸やそれらと一体化した周辺装置としても良い。
（ホ）小扉の止め金具３及びストッパー４は金具のほか、別の種類の装置でも良い。
（ヘ）小扉は共同住宅を含めた一般家庭の玄関用ドアのほか、オフィスや公共施設等あらゆるドアや引き戸等に設置して良い。
【図面の簡単な説明】
【図１】小扉を開いた時のドアの斜視図である。
【図２】小扉をカウンター兼用とした時のドアの斜視図である。
【符号の説明】
１  ドアの本体
２  小扉
３  小扉を閉めた時の止め金具
４  小扉を水平に保つストッパー
【図１】
0003103033.tif 000003
【図２】
0003103033.tif 000004
(57)【要約】      （修正有）【課題】長期間使用しても手の挿入口がへたらず、洗浄中に付いた水分が飛び散らず、左手、右手どちらにも装着出来、使い勝手の良いたわしを提供する。【解決手段】ミトンの形を有し手の平部は扁平で平形である。さらに手に密着するように、手首側５を丸くカットした。手の甲部２は空洞で山形に縫合又は接着し、手首に掛からないように７の位置までとした。さらに親指と人差し指の間に襠は縫い代をずらして重ね縫いにし、表裏同じ条件にした。ゆえに中表にひっくり返す事が出来るので左手、右手どちらにも装着出来、装着感も同じである。さらにスリッパのように挿入口がへたらず常に開いているように手の平部２の重層の間に芯３を付け強化した。【選択図】図２
0003103032.tif 000002
【実用新案登録請求の範囲】
【請求項１】
ミトンの形を有したたわしであり、ての平部は手に密着するよう手首の所を丸くカットした扁平で平型で手の甲部は空洞で山形にし手首に掛からないように、手の平部と縫合又は接着したので片手でも簡単に着脱出来るたわし．
【請求項２】
親指と人差し指の間に襠を付け、手の平部の縫い代の部分を二層に分け手の甲部の縫い代を間に挿み縫合又は接着したのが特徴で、従って中表にひっくり返す事が出来るので、右手、左手どちらにも装着出来装着感も同じ請求項１に記載のたわし．
【請求項３】
手の挿入口はスリッパのように常に開いている状態にする為、濡れても変型しないよう手の平部の重層の間に芯を入れ強化した請求項１と２に記載のたわし．
【考案の詳細な説明】
【技術分野】
【０００１】洗浄用たわし
【背景技術】
【０００２】従来より使用されているたわしは、たわしを握って使用するので握るという力量と擦るという力量が二分している。このたわしを手に装着することにより擦る力量のみでよく楽に洗うことが出来る。形態も簡素化することにより着脱が簡単で忙しい作業中も次の作業に移りやすくした。
【考案の開示】
【考案が解決しようとする課題】
【０００３】長期間使用しても手の挿入口がへたらず、洗浄中のたわしに付いた水分が飛び散らず、昨今のように左利きの人が多い時代、左手、右手どちらにも装着出来、使い勝手の良いものである事を課題とする。
【課題を解決するための手段】
【０００４】ミトンの形を有したたわしであるが、手の平部１は扁平で平形である。さらに手に密着するように、手首側５を丸くカットした。手の甲部２は空洞で山形に縫合又は接着し、手首に掛からないように７の位置までとした。さらに親指と人差し指の間に襠４を付け、手の平部１の縫い代の部分を二層にし、手の甲部２の縫い代を間に挿み縫合又は接着した。襠は縫い代をずらして重ね縫い図５にし、表裏同じ条件にした。ゆえに中表にひっくり返す事が出来るので左手、右手どちらにも装着出来、装着感も同じである。さらにスリッパのように挿入口がへたらず常に開いているように手の平部２の重層の間に芯３を付け強化した。
【考案の効果】
【０００５】たわしを握るという作業が無い為、手に装着するだけで手に馴染み装着感も良く、指を自由に洗浄作業に使う事が出来る。更に両手に装着しても掴む事も洗う事も楽に出来、作業能率を上げる事が出来る。
【考案を実施する為の最良の形態】
【０００６】材質は洗浄効率の良い化学繊維や合成繊維を使用し、厚層又は重層にし適度な強度、厚さ、柔軟さがあり、水切れが良く衛生的で、濡れている時も乾いている時も常に挿入口が開いているスリッパ型である。
【実施例】
【０００７】手に装着出来る為、細部、狭部に洗いやすく手の平全体をたわし面として使用出来るので、一度に広範囲を洗う事が出来、器の縁を洗う場合は人差し指と親指の間で洗え、深い器の内側は手を握って指の甲側でも洗う事が出来る。
【産業上の利用可能性】
【０００８】形を簡素化している為、安価で大量生産が可能であり、軟らかいものから堅いものなど材質を変える事により、家庭用の台所、風呂、ボディ用をはじめ、あらゆる分野に於いても便利に活用されるものと思われる。一家庭に於いても数個の使用が見込まれる。
【図面の簡単な説明】
【０００９】
【図１】  平面図底部より見た手の平部１である。
【図２】  平面図上部より見た手の甲部２の図である。３は芯、４は襠、５は手に沿って丸くカットした図であり、７は２の縫い止まり位置を示す。
【図３】  正面図で手の平部１に空洞で山形に２、３を縫合、接着させ、さらに手の平部１を二層にし、手の甲部２、３の縫い代を間に挿んだ図である。
【図４】  親指側と小指側より見た側面図であり、手の挿入口８を示した。
【図５】  手の平部２の親指と人差し指の間に襠４を付けた縫い方を示した。
【図６】  二層に分けた手の平部１の片側に手の甲部２の縫い代を挿み縫合し、残りの片方を合わせる前の図である。
【符号の説明】
【００１０】  １  手の平部
２  手の甲部
３  芯
４  襠
５  手に沿って丸くカットした
６  二層に分けた間に縫い代を挿んだ所
７  手の甲部の縫い止まり
８  手の挿入口
【図１】
0003103032.tif 000003
【図２】
0003103032.tif 000004
【図３】
0003103032.tif 000005
【図４】
0003103032.tif 000006
【図５】
0003103032.tif 000007
【図６】
0003103032.tif 000008
(57)【要約】【課題】刈払い機の草刈り作業中に、草刈り刃を地面から安全な高さに維持しつつ前進できるとともに、装置を脱着可能な構造にして通常の刈払い機としても使用可能にする。【解決手段】刈払い機の前端の刈り刃にできるだけ近い部分に、シャフトに直交して車軸とその両端に車輪を取り付ける。この車輪により草刈り刃が安全な高さに維持され、左右に動かないのでもっとも能率的な速度で前進して草刈りをすることができる。車軸は容易に脱着できるので、必要に応じて取り外すことができる。【選択図】  図１
0003103013.tif 000002
【実用新案登録請求の範囲】
【請求項１】
刈払い機の草刈り刃に近い部分に、シャフトと直交する車軸を取り付け、この車軸の両端に位置する車輪により草刈り刃の高さを維持しつつ容易に前進できることを特徴とする、草刈り刃の高さ維持装置。
【請求項２】
車軸とその両端の車輪は、シャフトと容易に脱着可能なことを特徴とする草刈り刃の高さ維持装置。
【考案の詳細な説明】
【技術分野】
【０００１】本考案は、作業者が保持しながら、エンジン等の動力を利用して草を刈払う刈払い機（草刈り機）の草刈り刃を地面から一定の高さに維持するための装置に関する。
【背景技術】
【０００２】刈払い機の作業者は、通常機体を肩からつり下げた状態で、地面に接しないよう注意しつつ草刈り刃を左右に振り回すように動かして草を刈り前進して同じ動作を繰り返す。この作業は重労働であり、草刈り刃が地面に接し石等の堅い物にあたったとき、刃が欠けたり石が飛んだりして危険である。
【考案の開示】
【考案が解決しようとする課題】
【０００３】刈払い機で草刈りをするとき、作業者は草刈り刃を左右に振り回すように動かすが、これは草刈り刃を地面から浮かせた状態で前進し続けるのが難しいからである。しかし草刈り刃を地面から一定の高さに維持する装置があれば、作業者は一定の早さで前進しながら草刈り作業を能率的に行うことができる。【０００４】今まで、刈払い機の草刈り刃を地面から一定の高さに維持する装置はほとんど開発されなかった。開発された物も、草刈り刃を左右に振り回すようにして草を刈る作業者の動きにとらわれ、手に持って作業する刈払い機には重くて複雑であった。【０００５】本考案が解決しようとする課題は、パイプシャフト前端の草刈り刃を、同後端の動力機構によって回転駆動させる刈払い機を用いて平坦なやや広い草地で草刈り作業をするとき、安全かつ能率的に作業ができるとともに、必要に応じて通常の刈払い機としても使用できるように容易に着脱可能な、軽量かつ構造的に簡素な装置を提供することである。
【課題を解決するための手段】
【０００６】刈払い機の草刈り刃に近い部分に、シャフトと直交する車軸を取り付け、この車軸の両端に車輪を取り付ける。【０００７】車軸とその両端の車輪は、刈払い機と容易に脱着できる構造とする。
【考案の効果】
【０００８】パイプシャフト前端の草刈り刃を同後端の動力機構によって回転駆動させる刈払い機は、比較的安価で簡便なため数多く利用されている。この形式の刈払い機は、乗用草刈り機や動力機構を持ち手で押して進む草刈り機が前進しつつ草を刈るのに対し、作業者が草刈り刃を左右に振り回すように動かして草を刈る。これは、草刈り刃を地面に接しない安全な高さに維持するために作業者がこのように操作するのである。【０００９】本考案では、草刈り刃の近くにシャフトと直交する脱着可能な車軸を取り付け、この車軸の両端の車輪により草刈り刃を地面から安全な高さに維持することができる。【００１０】この高さ維持装置は構造が簡素で軽量なため作業者の負担になることが少ないばかりでなく、草刈り刃が左右に動くことなく前進できるので、作業者は前進することに注意を集中することができる。【００１１】従って作業者はもっとも能率的に草刈りができる早さで前進し続けることが可能で、結果的に草刈り作業の能率が向上する。【００１２】本考案は、やや広い平坦な草地での草刈り作業を安全かつ能率的に行うための装置であるが、簡単に脱着させることができるので、この装置を草刈り現場で取り外し従来の刈払い機としても使用可能である。
【考案を実施するための最良の形態】
【００１３】１は刈払い機のシャフトに直交する車軸を固定する金具である。金具は刈払い機の機体にボルト等で固定されているが、車軸は容易に脱着できるようハンドル付きのねじ等を用いて金具に取り付けられる。【００１４】２は両端に車輪を付けた車軸であり、草刈り刃の中心線上又は草刈り刃にできるだけ近い位置に、シャフトと直交する角度で、１の金具に取り付ける。車軸の両端の車輪は自由に回転することができる。車輪の位置が車軸上を動かないよう車軸に割りピン等を設置する。【００１５】３は草刈り刃を支える車輪である。この車輪は、草刈り刃を地面から安全な高さまで持ち上げることができる大きさとする。
【産業上の利用可能性】
【図面の簡単な説明】
【００１６】
【図１】本考案の実施例を示す刈払い機の前部分を上からみた図である
【図２】本考案の側面図である。装置の構造を示すため手前の車輪を省略して作図してある
【符号の説明】
【００１７】  １  車軸を固定する金具
２  車軸
３  車輪
４  車軸を脱着するためのハンドル付きのねじ
５  シャフト
６  草刈り刃
【図１】
0003103013.tif 000003
【図２】
0003103013.tif 000004
(57)【要約】【課題】  車載バックミラーの視覚的安定性を十分確保しながら、後方視界を側方まで十分拡げ、又、下方への視野も拡げ自動車、バイク等の運転の安全性を高める。【解決手段】  車載バックミラーの中央の主な部分（１）は平面ながら外側部分（２）は外側に向かって緩やかな凸曲面をなし、又、下方部分（４）も下方に向かって緩やかな凸曲面をなし、場合により、内側部分（３）も内側に向かって凸曲面をなし、視野角が各方向に拡大されている事を特徴とする。【選択図】  図１
0003103016.tif 000002
【実用新案登録請求の範囲】
【請求項１】
中央の主要部分（１）は平面もしくはごく軽微な凸面だが、外側部分（２）が外側に向かって凸曲面をなす車載バックミラー
【請求項２】
中央の主要部分（１）は平面もしくはごく軽微な凸面だが、内側部分（３）が内側に向かって凸曲面をなす車載バックミラー
【請求項３】
中央の主要部分（１）は平面もしくはごく軽微な凸面だが、下方部分（４）が下方に向かって凸曲面をなす車載バックミラー
【考案の詳細な説明】
【技術分野】
【０００１】  この考案は、平面と曲面を併用し、視野が拡大された車載バックミラーに関するものである。
【背景技術】
【０００２】  従来の自動車用バックミラーは、平面またはごく軽微な凸曲面であるが、後側方の視野角は３５〜４０°程度である。しかしこの視野角は十分とは言えず、走行中、後側方でも真横に近い車の認識が十分出来ず、車線変更の際、衝突しそうになる事はしばしばあり、衝突の危険性が常にあった。また、よく自転車に用いる全体が一様な凸曲面であるバックミラーは、後方視野角は十分確保できるかもしれないが、走行時の視覚的安定感を欠く。
【考案の開示】
【考案が解決しようとする課題】
【０００３】  本考案は、走行時の視覚的安定性を確保しながら、十分な後側方の視野角をもつ車載バックミラーを開発し、自動車、バイク等の走行時の安全性を高めようとするものである。
【課題を解決するための手段】
【０００４】  車載バックミラーの中央の主要部分（１）は、平面またはごく軽微な凸曲面とし、走行時の視覚的安定性を確保する。
外側部分（２）は、外側に向かって緩やかな凸曲面をなすものとし、後側方の視野を側方へ拡大する。
必ずしも必要ではないが、内側部分（３）は、内側に向かって緩やかな凸曲面をなすものとし、内側の視野を増し、ミラーの側方への視野角の総和を増し、余裕を持たせる。
下方部分（４）は、下方に向かって緩やかな凸曲面をなすものとし、下方の視野を拡大する。
本考案は、以上の構成よりなる部分曲面状車載バックミラーである。
【考案の効果】
【０００５】  車載バックミラーの中央の主要部分は平面またはほぼ平面ながら、外側部分が凸曲面をなすため、後側方の視野が拡大し、車線変更の際など、最も重要な真横に透い後側方の他車の存在の確認が確実に出来るようになり、また、走行時の視覚的安定性も十分確保されるため、自動車等の運転の安全性が非常に高まる。
バックミラーの内側部分が凸曲面をなすと、全体として側方への視野角が増し、余裕ができる。
バックミラーの下方部分が凸曲面をなすと、下方への視野角が拡がり、地上の突起物の確認が十分に出来るようになり、バックの運転などで、地上突起物への接触を容易に防ぐ事ができるようになる。
以上の事より、バックミラーの各方向への視野角が十分確保され得るため、バックミラー面のリモコン可動装置はほとんど不要となる。
又、場合により、バックミラー面の１割程度の縮小さえ可能となる。
【考案を実施するための最良の形態】
【０００６】  以下、自動車やバイクなどバックミラーを用いる乗物のバックミラーに賦与する形態の造作について説明する。
車載バックミラーの中央の主要部分（１）は平面もしくは平面としか感じられない程度の極軽微な凸曲面とする。
バックミラーの全横径の１〜４割程度の外側部分（２）を外側にむかって緩やかな凸曲面をなすようにする。中央部分と外側端の面のなす変化の度合いは７〜１５°程度とする。
バックミラーの全横径の１割程度もしくは１割以下の内側部分（３）を内側にむかって緩やかな凸曲面をなすようにする。中央部分と内側端の面のなす変化の度合いは３〜７°程度とする。
バックミラーの全縦径の１割程度もしくは１割以下の下方部分（４）を下方にむかって緩やかな凸曲面をなすようにする。中央部分と下端の面のなす変化の度合いは３〜７°程度とする。
バックミラーの主材質はプラスチック、ガラス、金属、またはセラミックなどを用い、成型されるものとする。
【図面の簡単な説明】
【０００７】
【図１】  本考案である部分曲面状車載バックミラーのうち、右側用のバックミラーを運転者の視点よりやや高い視点より見た斜視図である。表面にマス目を引いていると仮定した。
【図２】  本考案である右側用バックミラーの中心部を通る水平断図である。
【図３】  本考案である右側用バックミラーの中心部を通る垂直断図である。
【符号の説明】
【０００８】  １  中央部分
２  外側部分
３  内側部分
４  下方部分
５  鏡面側
【図１】
0003103016.tif 000003
【図２】
0003103016.tif 000004
【図３】
0003103016.tif 000005
(57)【要約】【課題】  硬表紙の書籍、ファイル等を書庫や本立てに収納する場合、冊数またファイルの綴じ込み書類の多少にかかわらず安定に自立させ整然と収納できる収納安定具を提供する。【解決手段】  台座に固定された円筒状コイルばねを書棚や本立ての背板に取付けて書籍、ファイルの表、裏表紙の一端がコイルばねのピッチ間に挟まるようにした。取付けは台座の裏面の両面粘着テープで簡単にできる。【選択図】図１
0003103012.tif 000002
【実用新案登録請求の範囲】
【請求項１】
台座に取付けた円筒型ばねを書庫、本立ての背板または底面に取付けて硬表紙を有する書籍、ファイル等の転倒やずれを防止する収納安定具。
【請求項２】
台座の裏面に両面粘着テープを貼付ける事により取付が簡単にできる請求項１記載の収納安定具。
【考案の詳細な説明】
【考案の詳細な説明】
【考案が解決しょうとする課題】
【０００１】    従来、書棚、本立てなどに硬表紙の書籍、ファイル等を収納する時、冊数が少ない場合や書類の綴じ込みが少ない場合、安定に収納できなくて非常に不便であった。ファイルの書類綴じ込み量の多少による収納の不安定さがあった。
【課題を解決するための手段】
【０００２】    本考案は、コイルばねのピッチ間に書籍やファイル等の表、裏表紙の一端を挟むことによりブックエンドの補助的役目をし書籍、ファイル等を安定に収納する。コイルばねの軸心方向の縮み力で表、裏表紙の厚さ、また両表紙の開放側の開き度合いにかかわらず安定に収納する。
【本考案の効果】
【０００３】    書籍、ファイル等を書棚や本立てに収納した場合、表，裏表紙の一端がコイルばねのピッチ間に挟まり、ばねの縮み力で安定に収納される。書籍、ファイルの数量またファイルの書類綴じ込み量に関わらず上記の目的を達成できる。極端な場合、一冊の書籍、ファイルでも倒れることなく安定収納でき、またコイルばねに鋭角部が無いため収納物に損傷を与える事はない。シンプルな構造であるが効果は大である。
【図面の簡単な説明】
【図１】収納安定具
【図２】収納を示す図
【符号の説明】
１  円筒型ばね
２  台座
３  両面粘着テープ
【図１】
0003103012.tif 000003
【図２】
0003103012.tif 000004